(57)【特許請求の範囲】
【請求項１】
電力の授受を行う部材端子を有する機能部材と、
前記機能部材が着脱可能にして収納されるとともに前記機能部材の収納時に前記部材端子と電気的に接続される収納部端子が配置された収納部と、
前記収納部における前記機能部材との間の箇所に設けられて吸水したとき前記部材端子が前記収納部端子に対して離れるように前記機能部材を移動させる方向に膨張して前記部材端子と前記収納部端子との電気的接続を解除させる吸水膨張部材と、
を備え、
前記機能部材が電力を供給する電池であること特徴とする携帯型電子機器。
【請求項２】
電力の授受を行う部材端子を有する機能部材と、
前記機能部材が着脱可能にして収納されるとともに前記機能部材の収納時に前記部材端子と電気的に接続される収納部端子が配置された収納部と、
前記収納部における前記機能部材との間の箇所に設けられて吸水したとき前記部材端子が前記収納部端子に対して離れるように前記機能部材を移動させる方向に膨張して前記部材端子と前記収納部端子との電気的接続を解除させる吸水膨張部材と、
を備え、
前記機能部材がイオンを放出するするイオン発生装置であること特徴とする携帯型電子機器。
【請求項３】
前記収納部は前記吸水膨張部材の膨張により移動する前記機能部材を収納可能な空隙を備えることを特徴とする請求項１または請求項２に記載の携帯型電子機器。
【発明の詳細な説明】
【技術分野】
【０００１】
本発明は、電力の授受を行う着脱可能な電池などの機能部材を備えた携帯型電子機器に関する。
【背景技術】
【０００２】
高吸水性ポリマーや高吸水性高分子ゲル等の吸水性能を利用した紙おむつや生理用品が普及しており、他の用途でも利用できるようにそれらをシート状に構成した吸水膨張部材も広く知られている。そして、吸水膨張部材を電子機器の防水用途に利用した従来技術が電池パックとして特許文献１に開示されている。
【０００３】
特許文献１に記載された電池パックは入出力端子の端子窓に対応する窓孔を有して端子窓の外周部に当接する緩衝体を備えている。そして、この緩衝体が吸水して膨張する吸水膨張材を含んでいる。この構成によれば、吸水した吸水膨張材が膨張して緩衝体が電池パックを収納する電池パック収納部の内壁に密着する。その結果、緩衝体の周囲からその内側の窓孔への水の浸入が抑制されるので、端子窓から電池パック内部への水の浸入も抑制される。
【先行技術文献】
【特許文献】
【０００４】
【特許文献１】特開２００９−４８９１４号公報（第５頁−第７頁、第６図）
【発明の概要】
【発明が解決しようとする課題】
【０００５】
しかしながら、上記従来の電池パックは吸水膨張材を含む緩衝体の箇所へ水が浸入しても電池パックと電池パックを収納する電子機器との電気的な接続状態は維持されている。これにより、吸水膨張材の吸水能力を超過する水が緩衝体の箇所に浸入すると入出力端子が濡れて電子機器が誤作動を起こしたり、漏電によって電子部品が損耗したり、使用者が感電したりする可能性がある。
【０００６】
本発明は、上記の点に鑑みなされたものであり、水に濡れたときにおける誤作動、漏電、感電の発生を防止することができ、安全性の向上が図られた携帯型電子機器を提供することを目的とする。
【課題を解決するための手段】
【０００７】
上記の課題を解決するため、本発明は携帯型電子機器において、電力の授受を行う部材端子を有する機能部材と、前記機能部材が着脱可能にして収納されるとともに前記機能部材の収納時に前記部材端子と電気的に接続される収納部端子が配置された収納部と、前記収納部における前記機能部材との間の箇所に設けられて吸水したとき前記部材端子が前記収納部端子に対して離れるように前記機能部材を移動させる方向に膨張して前記部材端子と前記収納部端子との電気的接続を解除させる吸水膨張部材と、を備えることを特徴としている。
【０００８】
この構成によれば、吸水膨張部材が機能部材の収納部において収納部と機能部材との間の箇所に設けられ、吸水したとき部材端子が収納部端子に対して離れるように機能部材を移動させる方向に膨張する。そして、吸水膨張部材は機能部材の部材端子とその収納部の収納部端子との電気的接続を解除させる。
【０００９】
なお、上記「機能部材」とは端子（部材端子）から電力を供給したり、電力を受けたりして動作する部材を意味する。この「機能部材」は後述する手段、実施形態のように例えば「電池」、「イオン発生装置」といった部材とすることができ、さらにこれらの部材に限定されるわけではない。「機能部材」は、例えばカード型のメモリ装置などでも構わない。
【００１０】
また、上記構成の携帯型電子機器において、前記収納部は前記吸水膨張部材の膨張により移動する前記機能部材を収納可能な空隙を備えることを特徴としている。
【００１１】
この構成によれば、吸水膨張部材の吸水、膨張により機能部材が移動させられても収納部からはみ出したり、携帯型電子機器の外装が外れたりすることはない。これにより、携帯型電子機器の外観を変えることなく、吸水膨張部材は機能部材の部材端子とその収納部の収納部端子との電気的接続を解除させる。
【００１２】
また、上記構成の携帯型電子機器において、前記機能部材が電力を供給する電池であることを特徴としている。
【００１３】
この構成によれば、吸水膨張部材は電池の部材端子とその収納部の収納部端子との電気的接続を解除させる。これにより、携帯型電子機器は水に濡れたとき、電池からの電力の供給が遮断される。
【００１４】
また、上記構成の携帯型電子機器において、前記機能部材がイオンを放出するするイオン発生装置であることを特徴としている。
【００１５】
この構成によれば、吸水膨張部材はイオン発生装置の部材端子とその収納部の収納部端子との電気的接続を解除させる。これにより、携帯型電子機器は水に濡れたとき、イオン発生装置に対する電力の供給が遮断される。
【発明の効果】
【００１６】
本発明の構成によれば、水に濡れたとき吸水膨張部材が電池やイオン発生装置といった機能部材の部材端子とその収納部の収納部端子との電気的接続を解除させて電力の授受を遮断するので、水に濡れることに起因する誤作動、漏電、感電の発生を防止することができ、安全性の向上が図られた携帯型電子機器を提供することができる。
【図面の簡単な説明】
【００１７】
【図１】本発明の第１の実施形態に係るモバイルイオン発生機（携帯型電子機器）の正面側から見た斜視図である。
【図２】図１に示すモバイルイオン発生機の背面側から見た斜視図である。
【図３】図１に示すモバイルイオン発生機の分解斜視図にして、電池及びイオン発生装置を取り外した状態を示すものである。
【図４】図１に示すモバイルイオン発生機の分解斜視図にして、制御基板が露出するまで分解した状態を示すものである。
【図５】図１に示すモバイルイオン発生機の垂直断面側面図である。
【図６】図１に示すモバイルイオン発生機の分解斜視図にして、収納部端子及び吸水膨張部材の位置を示すものである。
【図７】図１に示すモバイルイオン発生機の分解斜視図にして、吸水膨張部材が膨張した状態を示すものである。
【図８】本発明の第２の実施形態に係るモバイルイオン発生機（携帯型電子機器）の分解斜視図にして、制御基板が露出するまで分解した状態を示すものである。
【図９】図８に示すモバイルイオン発生機の垂直断面側面図である。
【図１０】図８に示すモバイルイオン発生機の分解斜視図にして、収納部端子及び吸水膨張部材の位置を示すものである。
【図１１】図８に示すモバイルイオン発生機の分解斜視図にして、吸水膨張部材が膨張した状態を示すものである。
【発明を実施するための形態】
【００１８】
以下、本発明の実施形態を図１〜図１１に基づき説明する。なおここでは、本発明の携帯型電子機器の一例としてモバイルイオン発生機を掲げて説明するものとする。
【００１９】
最初に、本発明の第１の実施形態に係る携帯型電子機器としてのモバイルイオン発生機について、図１及び図２を用いてその構造の概略を説明する。図１はモバイルイオン発生機の正面側から見た斜視図、図２はモバイルイオン発生機の背面側から見た斜視図である。
【００２０】
モバイルイオン発生機１は、図１に示すように携帯可能な大きさに形成された正面視略矩形の薄箱状の筐体２を備えている。筐体２の前面２ａには表示部３が設けられている。表示部３は液晶パネルなどにより形成され、モバイルイオン発生機１の動作状態等を表示する。
【００２１】
筐体２の前面２ａに隣接する上面２ｂには空気の吹き出し口４か開口している。吹き出し口４は筐体２の背面２ｃ側に偏った位置に形成され、格子状のグリル４ａを備えている（図２参照）。筐体２の前面２ａ及び上面２ｂに隣接する一方の側面２ｄにはモバイルイオン発生機１の電源をオン、オフするための電源スイッチ５が設けられている。
【００２２】
筐体２の前面２ａに対向する背面２ｃには、図２に示すように回転自在な蓋部６が設けられている。蓋部６は筐体２の下端部で回転自在にして支持され、背面２ｃの上下方向略中央部から下方を覆っている。また、蓋部６は開放することによりモバイルイオン発生機１を立った状態にして設置面に設置することができる支持部として機能する。
【００２３】
背面２ｃの蓋部６で覆われた箇所には空気の吸い込み口７が開口している。吸い込み口７は背面２ｃの上下方向略中央部に形成され、マトリクス状に配置された複数の小孔で構成されている。吸い込み口７は蓋部６を開放すると外部に露出し、蓋部６を閉鎖すると蓋部６で覆われる。
【００２４】
背面２ｃの蓋部６で覆われた箇所であって吸い込み口７の下方には水抜き穴８が備えられている。水抜き穴８は吹き出し口４や吸い込み口７から浸入した水を筐体２の外部に流出させるための穴である。背面２ｃに隣接して側面２ｄ（図１参照）に対向する他方の側面２ｅには外部コンピュータなどと通信するための通信口（図示せず）のカバー９が設けられている。
【００２５】
続いて、モバイルイオン発生機１の内部の詳細な構成について、図３〜図７を用いて説明する。図３はモバイルイオン発生機１の分解斜視図にして、電池及びイオン発生装置を取り外した状態を示すもの、図４はモバイルイオン発生機１の分解斜視図にして、制御基板が露出するまで分解した状態を示すもの、図５はモバイルイオン発生機１の垂直断面側面図、図６はモバイルイオン発生機１の分解斜視図にして、収納部端子及び吸水膨張部材の位置を示すもの、図７はモバイルイオン発生機１の分解斜視図にして、吸水膨張部材が膨張した状態を示すものである。
【００２６】
モバイルイオン発生機１の筐体２は、図３〜図５に示すように前面２ａを形成する前面パネル２ｆと背面２ｃを形成する背面パネル２ｇとを備えている。前面パネル２ｆは背面を開口して水平断面がコ字状に形成された箱形状をなす。同様に、背面パネル２ｇは前面を開口して水平断面がコ字状に形成された箱形状をなす。
【００２７】
背面パネル２ｇの前面の開口部には仕切りパネル１０が備えられている。仕切りパネル１０は背面パネル２ｇの前面の開口部に取り付けられ、この開口部を覆っている。背面パネル２ｇ及び仕切りパネル１０の上部には吹き出し口４（図１及び図２参照）を有する上部カバー２ｈが設けられている。上部カバー２ｈはキャップ状をなし、背面パネル２ｇ及び仕切りパネル１０の外側に嵌合する。
【００２８】
なお、前面パネル２ｆは仕切りパネル１０の側方に設けられた係止部１１と係合する係止片（図示せず）と上部カバー２ｈの前面側下端の裏側に設けられた凹部１２と係合する爪部１３とによって仕切りパネル１０及び上部カバー２ｈに対して装着される。
【００２９】
仕切りパネル１０の背面側にはモバイルイオン発生機１の制御回路を実装した制御基板１４が設けられている。制御基板１４の背面側であって吸い込み口７との間には送風ファン１５が設けられている。
【００３０】
送風ファン１５はそのハウジング内に羽根車を有した遠心ファンで構成されている。また、背面パネル２ｇ内には仕切りパネル１０により前面が覆われて吸い込み口７と吹き出し口４とを連結する空気通路１６が形成されている。送風ファン１５は空気通路１６内に配置されている。送風ファン１５はそのハウジングの軸方向に開口する吸気口（図示せず）が吸い込み口７に対向して配置され、軸方向と直角をなす側面に開口する排気口（図示せず）が吹き出し口４の方向に向けて配置されている。これにより、送風ファン１５を駆動させると、モバイルイオン発生機１は吸い込み口７から吸い込んだ外部の空気を空気通路１６内に流通させて吹き出し口４から上方に向かって吹き出す。
【００３１】
仕切りパネル１０の前面側には背面側に向かって窪んだ形に形成された下側収納部１０ａ及び上側収納部１０ｂが備えられている。下側収納部１０ａにはモバイルイオン発生機１に電力を供給する電池１７が着脱可能にして収納され、上側収納部１０ｂには電池１７からの電力を受けて動作するイオン発生装置１８が着脱可能にして収納される。電池１７はリチウムイオン二次電池などで構成されている。イオン発生装置１８は空気通路１６に臨む複数の電極を有し、空気通路１６内を流通する空気に電極で発生させたイオンを含ませる。
【００３２】
なお、下側収納部１０ａは、図５に示すように電池１７を収納したときに電池１７の前面側に生じる空隙１０ｃを備えている。そして、上側収納部１０ｂはイオン発生装置１８を収納したときにイオン発生装置１８の前面側に生じる空隙１０ｄを備えている。
【００３３】
一方、制御基板１４は下側収納部１０ａに望んで設けられた収納部端子１４ａと上側収納部１０ｂに望んで設けられた収納部端子１４ｂとを備えている。下側収納部１０ａに電池１７を収納するとき電池１７が有する部材端子１７ａが収納部端子１４ａに電気的に接続される。上側収納部１０ｂにイオン発生装置１８を収納するときイオン発生装置１８が有する部材端子１８ａが収納部端子１４ｂに電気的に接続される。電池１７は部材端子１７ａ及び収納部端子１４ａを介して制御回路に接続され、イオン発生装置１８は部材端子１８ａ及び収納部端子１４ｂを介して制御回路に接続される。
【００３４】
また、下側収納部１０ａ及び上側収納部１０ｂには、図６に示すようにシート状に形成された吸水膨張部材１９が備えられている。吸水膨張部材１９は、図５に示すように下側収納部１０ａにおける前面側の壁面と電池１７との間の箇所と、上側収納部１０ｂにおける前面側の壁面とイオン発生装置１８との間の箇所とに設けられている。吸水膨張部材１９は紙おむつや生理用品で使用される高吸水性ポリマーや高吸水性高分子ゲルの粉末をシートに分散させたものであって、自己の重量の１００倍〜１０００倍の吸水能力を備えている。
【００３５】
このような構成のモバイルイオン発生機１において吸水膨張部材１９の箇所に水が浸入すると、吸水膨張部材１９が吸水して膨張する。これにより、吸水膨張部材１９は、図７に示すように電池１７の部材端子１７ａが収納部端子１４ａに対して離れるように電池１７を移動させ、電池１７の部材端子１７ａと収納部端子１４ａとの電気的接続を解除させる。したがって、モバイルイオン発生機１は水に濡れたとき、電池１７からの電力の供給が遮断される。同様に、吸水膨張部材１９はイオン発生装置１８の部材端子１８ａが収納部端子１４ｂに対して離れるようにイオン発生装置１８を移動させ、イオン発生装置１８の部材端子１８ａと収納部端子１４ｂとの電気的接続を解除させる。したがって、モバイルイオン発生機１は水に濡れたとき、イオン発生装置１８に対する電力の供給が遮断される。
【００３６】
なお、吸水膨張部材１９の吸水、膨張により図７に示すように電池１７及びイオン発生装置１８が移動させられても、下側収納部１０ａ及び上側収納部１０ｂは各々移動する電池１７またはイオン発生装置１８を収納可能な空隙１０ｃ、１０ｄを備えている。これにより、電池１７及びイオン発生装置１８が各々下側収納部１０ａまたは上側収納部１０ｂからはみ出したり、前面パネル２ｆが外れたりすることはない。したがって、モバイルイオン発生機１の外観を変えることなく、吸水膨張部材１９は電池１７の部材端子１７ａと収納部端子１４ａとの電気的接続を解除させ、イオン発生装置１８の部材端子１８ａと収納部端子１４ｂとの電気的接続を解除させる。
【００３７】
本発明の実施形態の構成によれば、水に濡れたとき吸水膨張部材１９が電池１７やイオン発生装置１８といった機能部材の部材端子１７ａ、１８ａとその収納部の収納部端子１４ａ、１４ｂとの電気的接続を解除させて電力の授受を遮断するので、水に濡れることに起因する誤作動、漏電、感電の発生を防止することができ、安全性の向上が図られたモバイルイオン発生機１を提供することができる。
【００３８】
次に、本発明の第２の実施形態に係る携帯型電子機器としてのモバイルイオン発生機について、図８〜図１１を用いて説明する。図８はモバイルイオン発生機の分解斜視図にして、制御基板が露出するまで分解した状態を示すもの、図９はモバイルイオン発生機の垂直断面側面図、図１０はモバイルイオン発生機の分解斜視図にして、収納部端子及び吸水膨張部材の位置を示すもの、図１１はモバイルイオン発生機の分解斜視図にして、吸水膨張部材が膨張した状態を示すものである。なお、この実施形態の基本的な構成は図１〜図７を用いて説明した前記第１の実施形態と同じであるので、第１の実施形態と共通する構成要素には前と同じ符号を付し、図面の記載及びその説明を省略するものとする。
【００３９】
第２の実施形態に係るモバイルイオン発生機１において、下側収納部１０ａは、図８及び図９に示すように電池１７を収納したときに電池１７の下方に生じる空隙１０ｅを備えている。そして、上側収納部１０ｂはイオン発生装置１８を収納したときにイオン発生装置１８の上方に生じる空隙１０ｆを備えている。
【００４０】
また、下側収納部１０ａ及び上側収納部１０ｂには、図１０に示すようにシート状に形成された吸水膨張部材２０が備えられている。吸水膨張部材２０は、図９及び図１０に示すように下側収納部１０ａにおける上側の壁面、すなわち収納部端子１４ａ及び部材端子１７ａが配置された壁面と電池１７との間の箇所と、上側収納部１０ｂにおける下側の壁面、すなわち収納部端子１４ｂ及び部材端子１８ａが配置された壁面とイオン発生装置１８との間の箇所とに設けられている。
【００４１】
このような構成のモバイルイオン発生機１において吸水膨張部材２０の箇所に水が浸入すると、図１１に示すように吸水膨張部材２０が吸水して膨張する。これにより、吸水膨張部材２０は電池１７の部材端子１７ａが収納部端子１４ａに対して離れるように下方に向かって電池１７を移動させ、電池１７の部材端子１７ａと収納部端子１４ａとの電気的接続を解除させる。したがって、モバイルイオン発生機１は水に濡れたとき、電池１７からの電力の供給が遮断される。同様に、吸水膨張部材２０はイオン発生装置１８の部材端子１８ａが収納部端子１４ｂに対して離れるように上方に向かってイオン発生装置１８を移動させ、イオン発生装置１８の部材端子１８ａと収納部端子１４ｂとの電気的接続を解除させる。したがって、モバイルイオン発生機１は水に濡れたとき、イオン発生装置１８に対する電力の供給が遮断される。
【００４２】
以上、本発明の実施形態につき説明したが、本発明の範囲はこれに限定されるものではなく、発明の主旨を逸脱しない範囲で種々の変更を加えて実施することができる。
【００４３】
例えば、上記実施形態では携帯型電子機器としてモバイルイオン発生機１を例に掲げて説明したが、発明の適用対象となる携帯型電子機器はモバイルイオン発生機に限定されるわけではなく、モバイルイオン発生機以外の、携帯電話機、ＰＤＡ（Ｐｅｒｓｏｎａｌ  Ｄｉｇｉｔａｌ  Ａｓｓｉｓｔａｎｔ）、電子辞書などといった他の携帯型電子機器に本発明を適用しても構わない。
【００４４】
また、前述のように、機能部材は電池１７、イオン発生装置１８に限定されるわけではなく、例えばカード型のメモリ装置などといった他の部材であっても構わない。
【産業上の利用可能性】
【００４５】
本発明は、電力の授受を行う着脱可能な電池などの機能部材を備えた携帯型電子機器において利用可能である。
【符号の説明】
【００４６】
１    モバイルイオン発生機（携帯型電子機器）
２    筐体
２ｆ    前面パネル
２ｇ    背面パネル
１０    仕切りパネル
１０ａ    下側収納部
１０ｂ    上側収納部
１０ｃ、１０ｄ、１０ｅ、１０ｆ    空隙
１４    制御基板
１４ａ、１４ｂ    収納部端子
１７    電池（機能部材）
１７ａ    部材端子
１８    イオン発生装置（機能部材）
１８ａ    部材端子
１９、２０    吸水膨張部材
【図１】
0005574424.tif 000002
【図２】
0005574424.tif 000003
【図３】
0005574424.tif 000004
【図４】
0005574424.tif 000005
【図５】
0005574424.tif 000006
【図６】
0005574424.tif 000007
【図７】
0005574424.tif 000008
【図８】
0005574424.tif 000009
【図９】
0005574424.tif 000010
【図１０】
0005574424.tif 000011
【図１１】
0005574424.tif 000012